(57)【要約】【課題】  従来商品は、ふくらはぎ等に取り付けるものであり、歩きにくく、寝る時も邪魔になる。また、ふくらはぎに取り付けるため、外出も長ズボンでなければならず、夏場半ズボンで外出することができない。  さらに、従来技術は、パンツ本体にポケットを設けたものであり、固定する手段がないため、ポケットの中で畜尿袋が動き、安定しない。また、パンツ本体のゴムが緩んだ場合、下方にズレてしまう。【解決手段】  パンツ本体の前身頃付近の少なくとも上部２箇所に、畜尿袋を取り付けるべく、固定具を設けてなることを特徴とする。【選択図】図１
2019081991.tif 000002
【特許請求の範囲】
【請求項１】
パンツ本体の前身頃付近の少なくとも上部２箇所の位置に、畜尿袋を取り付けるべく、固定具を設けてなることを特徴とする畜尿袋取付用パンツ。
【請求項２】
前記固定具が、ボタンであることを特徴とする請求項１記載の畜尿袋取付用パンツ。
【請求項３】
前記固定具が、フックであることを特徴とする請求項１記載の畜尿袋取付用パンツ。
【請求項４】
前記固定具が、クリップであることを特徴とする請求項１記載の畜尿袋取付用パンツ。
【請求項５】
前記フックを、パンツ本体の前身頃の上部あるいはズボンの上部に係止固定することを特徴とする請求項３記載の畜尿袋取付用パンツ。
【発明の詳細な説明】
【技術分野】
【０００１】  本発明は、畜尿袋を使用される患者の方用の畜尿袋取付用パンツに関するものである。
【背景技術】
【０００２】  従来の技術として、一般に市販されているものは、袋本体の上下４箇所に穿設された固定ベルト挿入孔に、上固定ベルトと下固定ベルトを通し、足の膝より下に上下固定ベルトで締め付けて取り付けているのが現状である。【０００３】  また、別の従来技術として、パンツ本体を形成する前身頃の内面に、四角形状をしたポケット形成用布の両側端部と下端部を逢着することにより、上端部が開口した排尿又は排便の排出物収納袋を収納するポケットを外側からは見えないように形成し、前記ポケットの下部には排出用チューブの引出孔を設けたことを特徴とするパンツがある。（特許文献１参照）
【先行技術文献】
【０００４】
【特許文献１】実用新案登録第３１３７８９１号公報
【発明の概要】
【発明が解決しようとする課題】
【０００５】  上記従来商品は、ふくらはぎや膝に取り付けるものであり、歩きにくく、寝る時も邪魔になる。
また、ふくらはぎ等に取り付けるため、外出も長ズボンでなければならず、夏場半ズボンで外出することができない。【０００６】  上記従来技術は、パンツ本体にポケットを設けたものであり、固定する手段がないため、ポケットの中で畜尿袋が動き、安定しない。
また、パンツ本体のゴムが緩んだ場合、下方にズレてしまう。【０００７】  本発明は、このような従来の構成が有していた問題を解決しようとするもので、パンツの前身頃付近に少なくとも２箇所固定具を設けることにより、確実に畜尿袋を保持できると共に、特に固定具をフックやクリップにすることでズボンにも係止固定でき、外出時や運動する時もズレることなく使用できる畜尿袋取付用パンツを提供することを目的とする。
【課題を解決するための手段】
【０００８】  本発明は、上記目的を達成するため、パンツ本体の前身頃付近の少なくとも上部２箇所の位置に、畜尿袋を取り付けるべく、固定具を設けてなること。前記固定具が、ボタンであること。前記固定具が、フックであること。前記固定具が、クリップであること。前記フックを、パンツ本体の前身頃の上部あるいはズボンの上部に係止固定することを特徴とする。
【発明の効果】
【０００９】１）、固定具をパンツ本体の前身頃付近の少なくとも上部２箇所に設けることにより、畜尿袋を確実に保持（固定）できる。
２）、一般に市販されている畜尿袋の上下の固定ベルト用孔を使用することによりコストダウンとなる。（固定ベルトは不要）
３）、固定具をボタンとすることにより、ボタンを上下の固定ベルト用孔に装着して固定できる。
４）、ボタンを４箇所にすることにより、より強固に保持できる。
５）、固定具をフックとすることにより、上記孔に下部を引っ掛け、上部をパンツ本体の前身頃付近の上部やズボンのベルト通しの上部に引っ掛けることにより、外出時や運動時にもより一層強固に保持し固定できる。
６）、固定具をクリップにすることにより、上部をパンツ本体の前身頃付近の上部やズボンのベルト通しの上部に挟持して取り付けることができる。
７）、特に外出時において半ズボンをはくことができ、夏場には重宝する。
【図面の簡単な説明】
【００１０】
【図１】  本発明の第１実施例を示す畜尿袋取付用パンツの正面図。
【図２】  本発明の第１実施例を示す畜尿袋取付用パンツに取り付ける畜尿袋。
【図３】  本発明の第１実施例を示す畜尿袋取付用パンツの使用状態図。
【図４】  本発明の第２実施例を示す畜尿袋取付用パンツの固定具の正面図。
【図５】  本発明の第２実施例を示す畜尿袋取付用パンツの側面図。
【図６】  本発明の第２実施例を示す畜尿袋取付用パンツの使用状態図。
【発明を実施するための形態】
【００１１】  畜尿袋取付用パンツ１は、パンツ本体２の前身頃付近（この実施例の場合、向かって右側ですが、左側もある。これは、患者の方が右の腎臓疾患の方か左の腎臓疾患の方かによる）の上部２箇所及び下部２箇所に直接ボタンによる固定具３―――を設けてある。（図１）
【００１２】  この畜尿袋取付用パンツ１に取り付ける畜尿袋ＴＦを説明する。
この畜尿袋ＴＦは、上下４箇所に固定ベルト用孔ＢＫを設けた袋本体Ｆの上部に尿入チューブＮＴと下部に排尿チューブＨＴを設け、固定ベルト用孔ＢＫにボタン付上固定ベルトＵＢ及びボタン付下固定ベルトＳＢを設けてある。
この畜尿袋ＴＦの上固定ベルトＵＢと下固定ベルトＳＢを除いたものを使用する。（図２）
【００１３】  畜尿袋取付用パンツ１に対して、畜尿袋ＴＦを取り付けるものである。
まず、畜尿袋取付用パンツ１のボタンによる固定具３―――を畜尿袋ＴＦの固定ベルト用孔ＢＫに挿入し、取り付ける。（図３）
この状態で、例えば半ズボン（図示せず）をはいて外出することも、運動することもできる。
また、寝る時も半パンのパジャマ（図示せず）を着ることができ、寝返りしても畜尿袋ＴＦがズレない。
【００１４】  つぎに、畜尿袋取付用パンツ２１のフックによる固定具２３について説明する。
このフックによる固定具２３は、平板の上部及び下部を同方向に折曲し、上係止片２３ａと下係止片２３ｂを形成してなるものである。（図４・図５）
必要に応じてクッション材Ｋを設ける。
【００１５】  このフックによる固定具２３は、特に外出時に有効で、例えば、上記第１実施例の使用例に付加し、固定具２３の下係止片２３ｂを固定ベルト用孔ＢＫに係止させると共に、上係止片２３ａをズボンＺ（半ズボン）のベルト通しの上部Ｚ１に引っ掛けて保持・固定する。（図６）
【００１６】  この状態で外出したり、運動する時に畜尿袋ＴＦが下方や左右にズレることがなく、安心して使用できる。
【００１７】  上記各実施例において、使用する畜尿袋は、７５０ｃｃタイプを基本としているが、特に限定するものではない。
また、畜尿袋メーカーも特に限定しない。
なお、ビニール袋等による短冊の上下にクリップを設けてなる形態も一考である。
【符号の説明】
【００１８】１―――畜尿袋取付用パンツ
２―――パンツ本体
３―――固定具
ＴＦ――畜尿袋
ＢＫ――固定ベルト用孔
２３――フックによる固定具
【図１】
2019081991.tif 000003
【図２】
2019081991.tif 000004
【図３】
2019081991.tif 000005
【図４】
2019081991.tif 000006
【図５】
2019081991.tif 000007
【図６】
2019081991.tif 000008